(57)【特許請求の範囲】
【請求項１】
人工衛星からの電波を受けるアンテナと、このアンテナに接続された電子回路部とを含むアンテナ部と、前記アンテナ部から送出される中間周波数のＧＰＳ信号から受信地の位置を演算，表示する受信部とを備えたＧＰＳ受信機において、
前記アンテナ部と前記受信部との間に介装され、前記受信部から出力された局部発振信号を前記アンテナ部に出力し、前記アンテナ部から出力された前記ＧＰＳ信号を前記受信部に出力するスプリッタ部と、
前記スプリッタ部に入力された局部発振信号のレベルを検出し、前記受信部の前記ＧＰＳ信号の受信状態に応じて、検出された前記局部発振信号のレベルを調整し、レベル調整した局部発振信号を前記スプリッタ部に送出する制御部とを備えたことを特徴とするＧＰＳ受信機の局発信号調整器。
【発明の詳細な説明】
【０００１】
【発明の属する技術分野】
この発明は、ＧＰＳ受信機の局発信号調整器に関する。
【０００２】
【従来の技術】
人工衛星を利用したＧＰＳ受信機の一般的回路構成を図２に示す。このＧＰＳ受信機は、アンテナ部及び受信部から構成されており、このアンテナ部と受信部とは、接続ラインＬを介して接続されている。
アンテナ部は、衛星からの電波を受けるアンテナ１と、プリアンプ部２と、ＩＦアンプ３及び両アンプ間に設けられたミキサ４などを備えている。
【０００３】
一方、受信部は、ＴＣＸＯ及びＰＬＬなどから構成される局部発振信号発生部５と、前記アンテナ部からの信号をデジタル変換するＡ／Ｄ変換器６と、Ａ／Ｄ変換器６からの信号を解析，演算し、受信地の位置を求めて表示することなどを行うディジタルシグナルプロセッサなどを含む解析部７とを備えている。
そして、局部発振信号発生部５からは、各部に内蔵されたＨＰＦ（高域通過フィルター）８を通じて局発信号をミキサ４に与え、アンプ３からの中間周波数信号は同じく各部に内蔵されたＬＰＦ（低域通過フィルター）９を通じてＡ／Ｄ変換器６に入力され、解析部７ではデジタル変換された信号によりデータの復調を行い、受信地の位置演算、表示などを行う。
【０００４】
【発明が解決しようとする課題】
この方式のＧＰＳ受信機では、アンテナ部に出力する局発信号のレベルは一定となっているため、局発信号レベルが低い場合にはミキサ４より出力されるＧＰＳ信号のレベルが小さくなり、解析部７側でその信号をロックすることができない場合があり、受信動作を行っているにも関わらず、復調できない原因となっており、ユーザにとっては、回路が故障しているのか、それとも単純に局発信号レベルが低いだけなのかなど、どのような原因で復調できないかの手がかりが全く把握できないものとなっていた。
【０００５】
このような場合に備えて、従来では図３に示すように、予め信号レベル調整用の減衰器１０を局発信号の出力側に接続することが一般に行われているが、この減衰器１０の挿入損失は固定であり、調整量の変更を行う必要がある場合には、受信部のハウジングを開いて別の挿入損失を持った減衰器に交換するなどしてトライアル方式により回路構成の変更を行わなければならず、ユーザにとっては容易には調整できないものとなっていた。
【０００６】
この発明は、以上の問題を解決するものであって、その目的は、既存のＧＰＳ受信機のアンテナ部と受信部の間にアタッチメント式に接続するだけで、局発信号レベルをモニタでき、またその調整を行えるようにしたＧＰＳ受信機の局発信号調整器を提供するものである。
【０００７】
【課題を解決するための手段】
前記目的を達成するため、この発明にあっては、人工衛星からの電波を受けるアンテナ及び電子回路部を含むアンテナ部と、アンテナ部に局発信号を出力し、アンテナ部からの中間周波数のＧＰＳ信号により受信地の位置を演算，表示などする受信部とを備えたＧＰＳ受信機において、前記受信部から外部出力された局発信号をアンテナ部に出力し、アンテナ部から外部出力された中間周波数のＧＰＳ信号を受信部に出力するスプリッタ部と、スプリッタ部に入力された局発信号を検出する検出手段と、検出結果を表示する表示手段と、前記スプリッタ部の局発信号出力段にレベル調整した局発信号を与えるレベル調整手段とを備えたことを特徴とするものである。
従って、この発明によれば、スプリッタ部をアンテナ部と受信部の接続ラインに介在させることで、両者間を接続するとともに、局発信号レベルの確認やモニタを行うことができ、さらに受信部側でＧＰＳ信号がロックされない場合にはユーザがコントローラを調整することで局発信号レベルを最適な状態に調整できる。
【０００８】
【発明の実施の形態】
以下、本発明の好ましい実施の形態を図１を参照して詳細に説明する。図１は、本発明にかかるＧＰＳ受信機の局発信号調整器の一実施例を示している。なお、以下の説明では、前述した従来例と同一もしくは相当する部分には、同一符号を付し、異なる部分に新たな符号を付している。同図に示すＧＰＳ受信機は、アンテナ部と受信部とを備えており、これらの間に局発信号調整器が介装されている。
【０００９】
局発信号調整器は、スプリッタ部Ａとコントロール部Ｂとから構成されていて、ラインＬ1 ，Ｌ2 を介して、アンテナ部と受信部とに接続されている。アンテナ部には、従来と同様に、衛星からの電波を受けるアンテナ１と、プリアンプ部２と、ＩＦアンプ３及び両アンプ間に設けられたミキサ４とが設けられている。そして、ＩＦアンプ３の出力側にＬＰＦ９が接続されるとともに、ミキサ４には、ＨＰＦ８が接続されている。
【００１０】
ＨＰＦ８とＬＰＦ９の出力側は、合流されてラインＬ1 に接続されている。ＨＰＦ８は、ラインＬ1 を介して入力する周波数が高い局部発振信号を通過させる。ＬＰＦ９は、ミキサ４で周波数変換された中間周波数の受信信号（ＧＰＳ信号）を通過させる。
受信部は、一端側がラインＬ2 に接続されたＬＰＦ９およびＨＰＦ８と、ＬＰＦ９の他端側に接続されたＡ／Ｄ変換器６と、ＨＰＦ８の他端側に接続された局発信号発生器５と、Ａ／Ｄ変換器６の出力側に接続された解析部７とを有している。
【００１１】
局発信号調整器のスプリッタ部Ａは、前記受信部から外部出力された局発信号をアンテナ部のミキサ４側に出力するための一対のＨＰＦ２０と前記アンテナ部のアンプ３から外部出力された中間周波数のＧＰＳ信号を受信部側に出力するためのＬＰＦ２２とを備え、ラインＬ1 ，Ｌ2 間にＬＰＦ２２が直列接続されるとともに、このＬＰＦ２２の入出力側に一対のＨＰＦ２０の一端側が接続されている。
【００１２】
一方、局発信号調整器のコントロール部Ｂは、スプリッタ部の一方のＨＰＦ２０（ラインＬ2 に接続されているもの）に接続され、ＨＰＦ２０を通過した信号（具体的には、局発信号）のレベルを検出するレベル検出部２４と、レベル検出部２４で検出された信号を表示する表示部２６と、レベル調整用のコントローラ２８とを備えており、このコントローラ２８により調整された信号がＨＰＦ２０とラインＬ1 とを介して、アンテナ部側に送出される。
【００１３】
コントローラ２８は、例えば、可変調整アンプ、あるいは切替え調整が可能な複数の減衰器などである。このように構成されたＧＰＳ受信機の局発信号調整器によれば、受信部側でＧＰＳ信号をロックしなかった場合に、ユーザが表示部２６に表示された局発信号レベルを、コントローラ２８を介して可変調整することで、局発信号レベルが低すぎることによる非復調状態から脱却できる。
【００１４】
なお、実施例ではスプリッタ部Ａの両側を接続ラインＬによりアンテナ部及び受信部の双方に接続したが、一方に接続用コネクタを介して直接外付し、他方側のみ接続ラインを介して接続するなどの接続形態も可能であることは勿論である。
【００１５】
【発明の効果】
以上実施例により詳細に説明したように、本発明にかかるＧＰＳ受信機の局発信号調整器にあっては、スプリッタ部をアンテナ部と受信部の接続ラインに介在させることで、両者間を接続するとともに、局発信号レベルの確認やモニタを行うことができ、さらに受信部側でＧＰＳ信号がロックされない場合には、ユーザがコントローラを調整することで局発信号レベルを最適な状態に調整できるため、既存のＧＰＳ受信機の内部回路の変更を行うことなしに、アタッチメント的に取り付けることで、局発信号レベルが低く過ぎることによる不具合をユーザ自身の調整により簡単に解決することができる。
【図面の簡単な説明】
【図１】本発明にかかる局発信号調整器を設けたＧＰＳ受信機を示す回路ブロック図である。
【図２】従来のＧＰＳ受信機の基本的回路例を示すブロック図である。
【図３】従来の局発信号調整手段を内在させたＧＰＳ受信機のブロック図である。
【符号の説明】
Ａ  スプリッタ部
Ｂ  コントロール部
１  アンテナ
２、３  アンプ
４  ミキサ
５  局発信号発生部
７  解析部
２０  ＨＰＦ（高域通過フィルター）
２２  ＬＰＦ（低域通過フィルター）
２４  レベル検出部
２６  表示部
２８  コントローラ
【図１】
0003636834.tif 000002
【図２】
0003636834.tif 000003
【図３】
0003636834.tif 000004